【事件の表示】
　平成１０年特許願第２７９３４２号「化粧料」拒絶査定不服審判事件〔平成１２年　３月２８日出願公開、特開２０００−　８６４２９〕について、次のとおり審決する。
【結　論】
　本件審判の請求は、成り立たない。
【理　由】
１．手続の経緯・本願発明
　本願は、平成１０年９月１４日の出願であって、その請求項１に係る発明は、平成１６年７月８日付け手続補正書により補正された明細書の特許請求の範囲の請求項１に記載された事項により特定される次のとおりのものである。（以下、「本願発明」という。）
　
「次の成分（Ａ）及び（Ｂ）：
　（Ａ）（ａ）ビニル基含有オルガノポリシロキサンと（ｂ）オルガノハイドロジェンポリシロキサンとを含む油系の水中油型乳化物に触媒を加えて反応させ、球状微粒子の水分散液とした後、その水分散液にアルカリ性物質またはアルカリ性水溶液とオルガノトリアルコキシシランを添加し、オルガノトリアルコキシシランを加水分解、縮合反応させた後、乾燥させて得られる異種のオルガノポリシロキサンからなる複合粉体
　（Ｂ）アクリル−シリコーン系グラフト共重合体を含有することを特徴とする化粧料。」
　
２．引用例の記載の概要
　原査定の拒絶の理由で引用した、本願の出願日前に頒布された刊行物である特開平２−２５４１１号公報（引用文献３、以下、「引用例Ａ」という。）及び特開平９−２０６３１号公報（引用文献１、以下、「引用例Ｂ」という。）には以下の事項が記載されている。
　
　引用例Ａ；
　
（Ａ−１）「皮膜形成剤として、分子鎖の片末端にラジカル重合性基を有するジメチルポリシロキサン化合物とアクリレート及び／又はメタクリレートを主体とするラジカル重合性モノマーとをラジカル共重合して得たアクリル−シリコーン系グラフト共重合体を含有することを特徴とする化粧料。」（１頁左下欄４〜１０行、【特許請求の範囲】）
　
（Ａ−２）「本発明の化粧料としては美爪料、アイメイクアップ化粧料はもとより、クリーム、乳液等の基礎化粧料、整髪料等の頭髪化粧料、ファンデーション、白粉、頬紅、アイシャドウ、口紅等のメーキャップ化粧料が挙げられる。」（５頁右上欄１７行〜同頁左下欄１行）
　
（Ａ−３）「本発明の化粧料は前記共重合物以外の成分としては、従来化粧料基剤を構成する成分とからなる。化粧料基剤成分をより具体的に例示すれば…白色顔料・着色顔料・体質顔料等の粉体成分、…等であり、これらは製品種や化粧目的に応じて適宜選択して用いられる。」（５頁左下欄５〜１６行）
　
（Ａ−４）アクリル−シリコーン系グラフト共重合体及び着色顔料を含有するアイライナーが塗膜に耐水性、耐油性があり、擦過に対する強度が良く、また化粧くずれしにくく、化粧もちに優れること、並びにアクリル−シリコーン系グラフト共重合体及び顔料を含有するマスカラが塗膜に耐水性、耐油性があり、使用感触も良好なものであったことが記載されている。（６頁右上欄２行〜７頁右上欄８行、実施例１、３）
　
（Ａ−５）「本発明の化粧料は、使用後、水や汗また皮脂などに対して強いため、化粧くずれしにくく、化粧持続性に優れたものである。」（７頁右上欄２０行〜同頁左下欄３行）
　
　引用例Ｂ；
　
（Ｂ−１）「【請求項１】シリコーンゴム球状微粒子にポリオルガノシルセスキオキサン樹脂を被覆した複合シリコーン粉体を含有することを特徴とする化粧料。
　…
【請求項３】前記複合シリコーン粉体が、平均粒径0.1〜100μｍのシリコーンゴム球状微粒子の水分散液に、アルカリ性物質またはアルカリ性水溶液とオルガノトリアルコキシシランを添加し、オルガノトリアルコキシシランを加水分解、縮合反応させたのち乾燥させて得られたものである請求項１…に記載の化粧料。」（【特許請求の範囲】）
　
（Ｂ−２）「従来から、粉体を配合した化粧料が一般に広く用いられているが、これらは肌に対する伸展性、塗擦感の改良が求められている。この要請に対して、無機複合粉体をフッ素化合物で処理したもの…、粉体類をメチルハイドロジェンポリシロキサンなどで処理したもの…、アクリルシリコーン系グラフトコポリマー被覆の疎水性粉体…、金属酸化物被覆のチタン酸カリウムからの体質顔料…、ハイドロジェンポリシロキサンで表面処理したキトサン粉末…、窒化物の微小板状基体を染料／金属酸化物で被覆した顔料…、鱗片状シリカ…、コラーゲン繊維の超微細粉体…、フォトクロミック性をもつ酸化チタン系化合物…、球状微粒子のポリアミド粉体…などを配合した化粧料が提案されている。しかしながら、これらの粉体はいずれも特性が不充分であったり…するものであった。…また、シリコーン樹脂粉体としてポリメチルシルセスキオキサン粉末を配合したメイクアップ化粧料が提案されており…、ある程度の特性向上が可能であるが、塗擦感に劣るものであった。さらに、従来のシリコーンゴム粉体は、それ自体の柔軟性は良好なものの、化粧料に配合した時に伸展性や塗擦感を向上させることができなかった。」（段落【０００２】〜【０００３】）
　
（Ｂ−３）「本発明で使用する複合シリコーン粉体は、シリコーンゴム球状微粒子にポリオルガノシルセスキオキサン樹脂を被覆したものである。…ポリオルガノシルセスキオキサン樹脂で被覆する方法としては、前記シリコーンゴム球状微粒子の水分散液に、アルカリ性物質またはアルカリ性水溶液とオルガノトリアルコキシシランを添加し、オルガノトリアルコキシシランを加水分解縮合反応させるとよく、この方法により本発明で使用するのに好適なものを製造することができる。」（段落【０００６】）
　
（Ｂ−４）「このシリコーンゴム球状微粒子の製造における架橋方式としては、…（ａ）ビニル基含有オルガノポリシロキサンと（ｂ）オルガノハイドロジェンポリシロキサンを（ｃ）白金系触媒の存在下で付加反応させ硬化させる組成物を用いることが好ましい。」（段落【０００９】）
　
（Ｂ−５）「シリコーンゴム球状微粒子は、上記した（ａ）成分を（ｃ）成分の存在下で（ｂ）成分と付加反応させて硬化させる際に、球状微粒子とすることにより製造できる…本発明に用いられる複合シリコーン粉体の製造においてシリコーンゴム球状微粒子を水分散液として使用するとよいことから、エマルジョン状の混合物としたのちエマルジョン粒子中で硬化させる方法とすることが好ましい。
　この方法においては、まず上記した（ａ）成分としてのビニル基含有オルガノポリシロキサンと（ｂ）成分としてのオルガノハイドロジェンポリシロキサンの所定量を混合してオルガノポリシロキサン組成物を調製し、次いで得られた組成物に水と界面活性剤を添加した上で、市販のホモミキサーなどを用いてこれをエマルジョン化する。ここに使用する界面活性剤としては、硬化反応に悪影響を及ぼすことの少ないポリオキシエチレンアルキルフェニルエーテル、…が好ましい。
…
　このようにして調製されたエマルジョンは、ついで（ｃ）成分としての白金系触媒を添加してオルガノポリシロキサンを硬化させることによりシリコーンゴム硬化物の分散体とする。」（段落【００１５】【００１６】【００１８】）
　
（Ｂ−６）「反応終了後は、…分散液を濃縮した後に…、さらに常圧もしくは減圧下での加熱乾燥、気流中に分散液を噴霧するスプレードライ、流動熱媒体を使用しての加熱乾燥などにより水分の除去を行えば、シリコーンゴム球状微粒子にポリオルガノシルセスキオキサン樹脂を被覆した目的とする複合シリコーン粉体が得られる」（段落【００２８】）
　
（Ｂ−７）「本発明の化粧料としては、ファンデーション類、各種クリーム類、防臭パウダー、プレストパウダー、おしろいパウダー、ひげそりパウダーなどのパウダー製品類、口紅、アイシャドウ、マスカラ、アイライナーなどのメイクアップ化粧料…等が挙げられる」（段落【００３０】）
　
（Ｂ−８）「本発明の化粧料は、…伸展性と塗擦感に優れたものとなる。」（段落【００４４】）
　
３．対比判断
　引用例Ａには「皮膜形成剤として、分子鎖の片末端にラジカル重合性基を有するジメチルポリシロキサン化合物とアクリレート及び／又はメタクリレートを主体とするラジカル重合性モノマーとをラジカル共重合して得たアクリル−シリコーン系グラフト共重合体を含有することを特徴とする化粧料。」が記載されている（Ａ−１）。（以下、「引用発明Ａ」という。）
　
　本願発明と引用発明Ａとを対比すると、両者は、「アクリル−シリコーン系グラフト共重合体を含有する化粧料。」である点で一致し、以下の点で相違する。
　
（相違点）
　本願発明は、さらに「（ａ）ビニル基含有オルガノポリシロキサンと（ｂ）オルガノハイドロジェンポリシロキサンとを含む油系の水中油型乳化物に触媒を加えて反応させ、球状微粒子の水分散液とした後、その水分散液にアルカリ性物質またはアルカリ性水溶液とオルガノトリアルコキシシランを添加し、オルガノトリアルコキシシランを加水分解、縮合反応させた後、乾燥させて得られる異種のオルガノポリシロキサンからなる複合粉体」を含有するのに対して、引用発明Ａは上記複合粉体を含有する点についての明記がない点。
　
　以下、相違点について検討する。
　引用発明Ａの化粧料は、美爪料、アイメイクアップ化粧料はもとより、クリーム、乳液等の基礎化粧料、ファンデーション、白粉、頬紅、アイシャドウ、口紅等のメーキャップ化粧料とすることができ（Ａ−２）、製品種や化粧目的に応じて粉体成分を適宜選択して用いてもよいことが記載されている。（Ａ−３）
　一方、引用例Ｂには、「シリコーンゴム球状微粒子の水分散液に、アルカリ性物質またはアルカリ性水溶液とオルガノトリアルコキシシランを添加し、オルガノトリアルコキシシランを加水分解、縮合反応させたのち乾燥させて得られたものである、シリコーンゴム球状微粒子にポリオルガノシルセスキオキサン樹脂を被覆した複合シリコーン粉体が記載され（Ｂ−１）、この粉体は、従来、化粧料に配合されている体質顔料や球状微粒子のポリアミド粉体などに比べ、化粧料に配合した時に伸展性や塗擦感を向上させることができるものであって（（Ｂ−２）,（Ｂ−３））、ファンデーション類、各種クリーム類、おしろいパウダー、口紅、アイシャドウ、マスカラ、アイライナーなどのメイクアップ化粧料（Ｂ−７）に用いることができることが記載されている。
　引用例Ｂの「複合シリコーン粉体」は、「（ａ）ビニル基含有オルガノポリシロキサン成分を（ｃ）白金系触媒成分の存在下で（ｂ）オルガノハイドロジェンポリシロキサン成分と『エマルジョン状の混合物』としたのち付加反応させてエマルジョン粒子中で硬化させる際に、球状微粒子とすることにより製造されたシリコーンゴム球状微粒子の水性分散液に、アルカリ性物質またはアルカリ性水溶液とオルガノトリアルコキシシランを添加してオルガノトリアルコキシシランを加水分解、縮合反応させ、反応終了後は、さらに乾燥を行う(（Ｂ−３）〜（Ｂ−６）)ことにより得られるものであるから、本願発明の（Ａ）の複合粉体に相当するものであることは明らかである。
　
　そうすると、引用発明Ａにおいて、粉体の配合を必要とする化粧料を調製するにあたり、配合した時の伸展性や塗擦感が従来の粉体より優れているとされる引用例Ｂに記載の複合シリコーン粉体を採用することは当業者であれば容易になし得ることである。
　そして、本願発明の効果も、引用例Ａ及び引用例Ｂに記載された技術事項（（Ａ−４）,（Ａ−５）,（Ｂ−８））から当業者であれば容易に予測し得る範囲内のものである。
　
４．むすび
　以上のとおりであるから、本願発明は引用例Ａ及び引用例Ｂに記載された発明に基づいて、当業者が容易に発明をすることができたものであり、特許法第２９条第２項の規定により特許を受けることができない。